(57)【要約】【課題】駆動力の低減を実現しかつ口径精度を安定化できる絞り装置を実現する。【解決手段】カメラのレンズ開口の大きさを変化させる複数枚の絞り羽根と、光軸を中心にして回動することにより開口径を変化させる駆動部材と、前記駆動部材を回動可能に保持する地板と、前記複数枚の絞り羽根と前記駆動部材の光軸方向への変位を規制するカバーと、を有し、前記駆動部材は前記地板のレール部と前記カバーのレール部との間で摺動し、前記駆動部材が回動することにより光軸方向に変位するように前記地板のレール部と前記カバーのレール部とに傾斜を設けた。【選択図】図１
2014071144.tif 000002
【特許請求の範囲】
【請求項１】
カメラのレンズ開口の大きさを変化させる複数枚の絞り羽根と、
光軸を中心にして回動することにより開口径を変化させる駆動部材と、
前記駆動部材を回動可能に保持する地板と、
前記複数枚の絞り羽根と前記駆動部材の光軸方向への変位を規制するカバーと、を有し、
前記駆動部材は前記地板のレール部と前記カバーのレール部との間で摺動し、
前記駆動部材が回動することにより光軸方向に変位するように前記地板のレール部と前記カバーのレール部とに傾斜を設けたことを特徴とする絞り装置。
【請求項２】
前記駆動部材は前記地板のレール部と前記カバーのレール部との間で摺動する突起部を有し、
前記傾斜は、前記レンズ開口が大きくなる状態に前記駆動部材が回動する場合には、前記駆動部材と前記カバーによって形成される前記絞り羽根の走行スペースを狭め、前記レンズ開口が小さくなる状態に前記駆動部材が回動する場合には、前記駆動部材と前記カバーによって形成される前記絞り羽根の走行スペースを広げるように形成されることを特徴とする請求項１に記載の絞り装置。
【請求項３】
前記地板には、前記駆動部材に駆動力を伝達する駆動源が取り付けられることを特徴とする請求項１または２に記載の絞り装置。
【請求項４】
請求項１ないし３のいずれか１項に記載の絞り装置を備えたことを特徴とする撮像装置。
【発明の詳細な説明】
【技術分野】
【０００１】
本発明は、撮像装置に組み込まれる絞り装置に関する。
【背景技術】
【０００２】
カメラの絞り装置は、複数枚の絞り羽根が駆動リングによって同時に同じ方向へ駆動されて、協働して開口径を変化させる。また、最近の絞り装置は、各絞り羽根が回転孔と作動ピンを持ち、地板とカバーとの間に形成される凹状のスペース内において、回転孔を地板の軸に回転可能に嵌合させ、連結ピンが駆動リングのカム溝に挿入されている。地板とカバーの間のスペース内において駆動リングがモータ等を駆動源として回動することによってカム溝が絞り羽根を駆動させる。
【０００３】
絞り羽根と駆動リングとが重なる配置関係は、特許文献１記載のように、絞り羽根が、駆動リングと地板との間に配置されることもあるし、特許文献２記載のように、駆動リングとカバーとの間に配置されることもある。
【０００４】
従来の絞り装置は、最大開口状態から開口径を小さくする場合には、各絞り羽根をレンズ開口に進入させ、先端部を光軸中心に近づけていく。ところが、特許文献１のように、複数枚の絞り羽根を単純に重ねて取り付け、最初に組み付けた絞り羽根と最後に組み付けた絞り羽根とが接触しないような組み付け方をすると、各絞り羽根の姿勢は、先端部が光軸中心に近づくにしたがって不安定になり、絞り開口の基準面（開口形成面）に対して先端部が傾斜しやすくなる。そのため、絞り開口を基準面上で適正な形状にすることができなくなり、隣接する絞り羽根同士が面接触しなくなったりする。このような傾向は、レンズ開口の口径が大きいほど顕著になるので、上記のような絞り羽根の組み付け方法は、レンズ開口の小さい絞り装置にだけ採用されている。
【０００５】
一方、特許文献２記載のような、編み込み方式と呼ばれている、絞り羽根の組み付け方法が知られている。これは、全ての絞り羽根が、隣接する２枚の絞り羽根の間に配置されて、レンズ開口において、各絞り羽根の先端部を、地板側とカバー側のいずれか一方からは目視できるが、他方からは目視できない状態に組み付ける方法である。この方式を採用すると、先端部同士が絡み合って支え合うようになるため、特許文献１のような複数枚の絞り羽根を単純に重ねて組み付けた場合よりも、絞り羽根の姿勢が常に安定して得られるようになる。
【先行技術文献】
【特許文献】
【０００６】
【特許文献１】特開２００１−２０１７８０号公報
【特許文献２】特開２００３−０５７７１５号公報
【発明の概要】
【発明が解決しようとする課題】
【０００７】
ところで、上記のような編み込み方式を採用した場合には、開口径を小さくしていくと、各絞り羽根は隣接する絞り羽根から外力を受け、絞り開口の基準面に直交する方向へ反り上がり、絞り羽根の走行スペースを圧迫する。このため、より大きな駆動力が必要となる。反対に、開口径を大きくしていくと、走行スペース内で絞り羽根が光軸方向にばたつくため、所望の口径精度が得られない可能性がある。
【０００８】
本発明は、上記課題に鑑みてなされ、その目的は、駆動力の低減を実現しかつ口径精度を安定化できる絞り装置を実現することである。
【課題を解決するための手段】
【０００９】
上記課題を解決し、目的を達成するために、本発明の絞り装置は、カメラのレンズ開口の大きさを変化させる複数枚の絞り羽根と、光軸を中心にして回動することにより開口径を変化させる駆動部材と、前記駆動部材を回動可能に保持する地板と、前記複数枚の絞り羽根と前記駆動部材の光軸方向への変位を規制するカバーと、を有し、前記駆動部材は前記地板のレール部と前記カバーのレール部との間で摺動し、前記駆動部材が回動することにより光軸方向に変位するように前記地板のレール部と前記カバーのレール部とに傾斜を設けた。
【発明の効果】
【００１０】
本発明によれば、駆動力の低減を実現しかつ口径精度を安定化できる絞り装置を実現することができる。
【図面の簡単な説明】
【００１１】
【図１】本発明に係る実施形態の絞り装置の分解斜視図。
【図２】本実施形態の絞り装置の最大開口時におけるレール部付近の断面図。
【図３】本実施形態の絞り装置の中間口径時におけるレール部付近の断面図。
【図４】本実施形態の絞り装置の最小開口時におけるレール部付近の断面図。
【発明を実施するための形態】
【００１２】
以下に、添付図面を参照して本発明を実施するための形態について詳細に説明する。以下の実施の形態は、本発明を実現するための一例であり、本発明は以下の実施の形態に限定されるものではない。本実施形態の構成部品の寸法、材質、形状、その相対配置等は、本発明の趣旨を逸脱しない範囲において本発明が適用される装置の構成や各種条件によって適宜修正又は変更されるべきものである。
【００１３】
まず図１を参照して、本発明に係る実施形態の絞り装置の構成について説明する。
【００１４】
本実施形態の絞り装置は、複数枚の絞り羽根を、いわゆる編み込み方式で組み付け、モータを駆動源として、駆動部材を回動させることにより、レンズ開口の大きさを変化させるように構成されている。
【００１５】
この絞り装置は、カメラのレンズ開口１１を中心として複数の部品を重ねて組み立てられている。複数の部品には、上方から順番に、カバー５、複数枚（本例では６枚）の絞り羽根３、駆動リング２、地板１、駆動源４が含まれる。
【００１６】
絞り羽根３は地板１のレンズ開口１１の周囲に配置され且つ駆動リング２の駆動力を受けてレンズ開口１１を開閉するように動作する。各絞り羽根３には支持孔３２と作動カム溝３１が形成されている。各絞り羽根３は地板１の各羽根支持軸１３に軸支される支持孔３２を中心として回動可能である。各絞り羽根３が図示の位置から時計方向に回動するとレンズ開口１１が閉じられる。この閉状態から反時計方向に回動するとレンズ開口１１が開成される。
【００１７】
駆動源４はシャッターレリーズ操作に応じてピニオンギア４１を回転駆動する。本実施形態では駆動源４としてステッピングモータが用いられる。駆動リング２は地板１のレンズ開口１１の周囲に設けられたリング支持軸１２により回動可能に保持され、複数（本例では３つ）の突起部２４と地板１のレール部１４およびカバー５のレール部５１との間で摺動する。駆動源４から出力される駆動力はギア２１および作動ピン２３を介して各絞り羽根３に伝達される。駆動リング２および絞り羽根３は、カバー５により光軸方向の位置が規制されている。
【００１８】
本発明の特徴点の１つは、地板１のレール部１４およびカバー５のレール部５１に所定の傾斜を設けたところである。
【００１９】
次に、図２乃至図４を参照して、本実施形態の絞り装置の構成について詳細に説明する。
【００２０】
本実施形態の絞り装置の最大開口時の断面を示す図２において、駆動リング２とカバー５によって形成される間隔ｄ１が絞り羽根の走行スペースである。図示の通り、地板１のレール部１４、カバー５のレール部５１、駆動リング２の突起部２４により絞り羽根の走行スペースは最も狭い状態にある。これにより絞り羽根のばたつきを抑え、口径精度の安定化が可能となる。
【００２１】
次に、本実施形態の絞り装置の中間開口時の断面を示す図３において、駆動リング２とカバー５によって形成される間隔ｄ２は、地板１のレール部１４およびカバー５のレール部５１の傾斜により、図１の最大開口時と比べて大きくなっている。これにより、絞り羽根が重なり合った状態でも走行スペースを圧迫することがないため、駆動力の低減が可能となる。
【００２２】
次に、本実施形態の絞り装置の最小開口時の断面を示す図４において、駆動リング２とカバー５によって形成される間隔ｄ３は、地板１のレール部１４およびカバー５のレール部５１の傾斜により、最も大きい状態となっている。これにより、絞り羽根が重なり合った状態でも走行スペースを圧迫することがないため、駆動力の低減が可能となる。
【００２３】
以上説明したように、本実施形態によれば、地板１のレール部１４およびカバー５のレール部５１の傾斜により駆動リング２が光軸方向に変位するため、絞り羽根３の走行スペースが最大開口時から最小開口時に亘って常に最適となるよう調整可能である。これにより、開口径が小さい場合の駆動力の低減並びに開口径が大きい場合の口径精度の安定化が実現できる。
【００２４】
なお、上述した実施形態に係る絞り装置は、カメラ等の撮像装置に組み込まれて使用される。
【図１】
2014071144.tif 000003
【図２】
2014071144.tif 000004
【図３】
2014071144.tif 000005
【図４】
2014071144.tif 000006